(57)【特許請求の範囲】
【請求項１】
データ通信のための通信モジュールと、
該通信モジュールを通じて、位置情報を提供する位置情報送信装置に位置情報のためのデータを送信し、該位置情報送信装置から送信された前記位置情報のためのデータによる位置情報を受信する位置情報モジュールと、
該位置情報モジュールにより受信された位置情報によって前記通信モジュールに供給される電源を制御する電源制御モジュールと、
を備え、
前記位置情報モジュールにより受信された位置情報には、当該移動通信機器の移動速度に基づいて設定される前記位置情報のためのデータを送信する送信時間間隔情報が含まれ、
前記位置情報送信装置は、位置情報を要請する移動通信機器の数と、各移動通信機器に対して設定された送信時間間隔情報の総和に基づいて、前記位置情報送信装置における負荷を求め、該負荷により送信時間間隔情報を調節する移動通信機器のための位置情報受信装置。
【請求項２】
前記電源制御モジュールは、前記送信時間間隔情報によって前記通信モジュールに電源が供給される時間間隔を調節する請求項１に記載の移動通信機器のための位置情報受信装置。
【請求項３】
前記位置情報送信装置は、前記位置情報のためのデータが受信される受信時間間隔及び前記位置情報のためのデータによって判断される前記移動通信機器の位置情報を通じて前記移動速度を算出し、該移動速度によって前記送信時間間隔情報を生成する請求項１に記載の移動通信機器のための位置情報受信装置。
【請求項４】
前記位置情報モジュールにより受信された位置情報によって当該移動通信機器の移動速度を算出する移動速度算出モジュール
をさらに備える請求項１に記載の移動通信機器のための位置情報受信装置。
【請求項５】
前記移動速度算出モジュールは、前記位置情報モジュールにより受信された位置情報の受信時間間隔及び該位置情報によって前記移動通信機器の移動速度を算出する請求項４に記載の移動通信機器のための位置情報受信装置。
【請求項６】
前記電源制御モジュールは、前記移動速度算出モジュールにより算出された移動速度によって前記位置情報のためのデータを送信する送信時間間隔情報を生成し、該送信時間間隔情報によって前記通信モジュールに電源が供給される時間間隔を調節する請求項５に記載の移動通信機器のための位置情報受信装置。
【請求項７】
前記負荷Ｗは、Ｗ＝（Ｎ１＋Ｎ２＋…＋Ｎｎ）／（Ｓ１＊Ｎ１＋Ｓ２＊Ｎ２＋…＋Ｓｎ＊Ｎｎ）を通じて求められ、前記Ｎ１＋Ｎ２＋…＋Ｎｎは、前記位置情報を要請する移動通信機器数の総和、前記Ｓ１＊Ｎ１＋Ｓ２＊Ｎ２＋…＋Ｓｎ＊Ｎｎは、各移動通信機器に対する送信時間間隔情報の総和である請求項１に記載の移動通信機器のための位置情報受信装置。
【請求項８】
移動通信機器から位置情報のためのデータを受信するデータ受信モジュールと、
該データ受信モジュールにより受信された位置情報のためのデータによって前記移動通信機器の移動速度を算出し、該移動速度によって前記位置情報のためのデータを送信する送信時間間隔情報を生成する移動速度算出モジュールと、
位置情報を要請する移動通信機器による負荷を判断し、該負荷によって前記移動速度算出モジュールにより生成された送信時間間隔情報を調節する負荷調節モジュールと、
該負荷調節モジュールにより調節された送信時間間隔情報と、前記移動通信機器の位置情報とを前記移動通信機器に送信するデータ送信モジュールと、
を備え、
前記負荷調節モジュールは、位置情報を要請する移動通信機器の数と、各移動通信機器に対して設定された送信時間間隔情報の総和に基づいて、前記位置情報提供装置における負荷を求める移動通信機器のための位置情報送信装置。
【請求項９】
前記データ受信モジュールにより受信された位置情報のためのデータによって前記移動通信機器の位置情報を判断する位置情報判断モジュールと、
該位置情報判断モジュールにより判断された位置情報を保存する保存モジュールと、
をさらに備える請求項８に記載の移動通信機器のための位置情報送信装置。
【請求項１０】
前記移動速度算出モジュールは、前記位置情報のためのデータの受信時間間隔及び該位置情報のためのデータによる位置情報を通じて前記移動通信機器の移動速度を算出する請求項８に記載の移動通信機器のための位置情報送信装置。
【請求項１１】
前記負荷Ｗは、Ｗ＝（Ｎ１＋Ｎ２＋…＋Ｎｎ）／（Ｓ１＊Ｎ１＋Ｓ２＊Ｎ２＋…＋Ｓｎ＊Ｎｎ）を通じて求められ、前記Ｎ１＋Ｎ２＋…＋Ｎｎは、前記位置情報を要請する移動通信機器数の総和、前記Ｓ１＊Ｎ１＋Ｓ２＊Ｎ２＋…＋Ｓｎ＊Ｎｎは、各移動通信機器に対する送信時間間隔情報の総和である請求項８に記載の移動通信機器のための位置情報送信装置。
【請求項１２】
前記負荷調節モジュールは、前記負荷が基準負荷を超過する場合、前記データ送信モジュールを通じて送信される前記送信時間間隔情報を調節する請求項１１に記載の移動通信機器のための位置情報送信装置。
【請求項１３】
位置情報を提供する位置情報送信装置に、位置情報のためのデータを送信するステップと、
該送信するステップにより送信された位置情報のためのデータによる位置情報を受信するステップと、
該位置情報を受信するステップにより受信された位置情報によって前記位置情報のためのデータの送信時間間隔を制御するステップと、
を含み、
前記位置情報を受信するステップにより受信された位置情報には、前記移動通信機器の移動速度に基づいて設定される前記位置情報のためのデータを送信する送信時間間隔情報が含まれ、
前記位置情報送信装置は、位置情報を要請する移動通信機器の数と、各移動通信機器に対して設定された送信時間間隔情報の総和に基づいて、前記位置情報送信装置における負荷を求め、該負荷により送信時間間隔情報を調節する移動通信機器のための位置情報受信方法。
【請求項１４】
前記データの送信時間間隔を制御するステップは、前記送信時間間隔情報によって前記位置情報のためのデータを送信するために必要な電源が供給される時間間隔を調節するステップ
を含む請求項１３に記載の移動通信機器のための位置情報受信方法。
【請求項１５】
前記位置情報送信装置は、前記位置情報のためのデータが受信される受信時間間隔及び前記位置情報のためのデータによって判断される前記移動通信機器の位置情報を通じて前記移動速度を算出し、該移動速度によって前記送信時間間隔情報を生成する請求項１３に記載の移動通信機器のための位置情報受信方法。
【請求項１６】
前記位置情報を受信するステップにより受信された位置情報によって前記移動通信機器の移動速度を算出するステップと、
該移動速度を算出するステップにより算出された移動速度によって前記位置情報のためのデータを送信する送信時間間隔情報を生成するステップと、
をさらに含む請求項１３に記載の移動通信機器のための位置情報受信方法。
【請求項１７】
前記移動速度を算出するステップは、前記位置情報を受信するステップにより受信された位置情報の受信時間間隔及び該位置情報によって前記移動通信機器の移動速度を算出するステップ
を含む請求項１６に記載の移動通信機器のための位置情報受信方法。
【請求項１８】
前記データの送信時間間隔を制御するステップは、前記データを送信する送信時間間隔情報を生成するステップにより生成された送信時間間隔によって前記データを送信するために必要な電源が供給される時間間隔を調節するステップ
を含む請求項１６に記載の移動通信機器のための位置情報受信方法。
【請求項１９】
移動通信機器から位置情報のためのデータを受信するステップと、
該受信するステップにより受信された位置情報のためのデータによって前記移動通信機器の移動速度を算出し、該移動速度によって前記位置情報のためのデータを送信する送信時間間隔情報を生成するステップと、
該送信時間間隔情報を生成するステップにより生成された送信時間間隔情報と、前記移動通信機器の位置情報とを前記移動通信機器に送信するステップと、
位置情報を要請する移動通信機器による負荷を判断し、該負荷によって前記送信時間間隔情報を生成するステップにより生成された送信時間間隔情報を調節するステップと、
を含み、
前記調節するステップは、位置情報を要請する位置情報受信装置の数と、各位置情報受信装置に対して設定された送信時間間隔情報の総和とに基づいて、前記位置情報を提供する装置における負荷を求める移動通信機器のための位置情報送信方法。
【請求項２０】
前記受信するステップにより受信された位置情報のためのデータによって前記移動通信機器の位置情報を判断するステップと、
該判断するステップにより判断された位置情報を保存するステップと、
をさらに含む請求項１９に記載の移動通信機器のための位置情報送信方法。
【請求項２１】
前記送信時間間隔情報を生成するステップは、前記受信するステップにより受信された位置情報のためのデータの受信時間間隔及び該データによって判断された位置情報によって前記移動通信機器の移動速度を算出するステップ
を含む請求項２０に記載の移動通信機器のための位置情報送信方法。
【請求項２２】
前記負荷Ｗは、Ｗ＝（Ｎ１＋Ｎ２＋…＋Ｎｎ）／（Ｓ１＊Ｎ１＋Ｓ２＊Ｎ２＋…＋Ｓｎ＊Ｎｎ）を通じて求められ、前記Ｎ１＋Ｎ２＋…＋Ｎｎは、前記位置情報を要請する移動通信機器数の総和、前記Ｓ１＊Ｎ１＋Ｓ２＊Ｎ２＋…＋Ｓｎ＊Ｎｎは、各移動通信機器に対する送信時間間隔情報の総和である請求項１９に記載の移動通信機器のための位置情報送信方法。
【請求項２３】
前記送信時間間隔情報を調節するステップは、前記負荷が基準負荷を超過する場合、前記送信される送信時間間隔情報を調節するステップ
を含む請求項２２に記載の移動通信機器のための位置情報送信方法。
【発明の詳細な説明】
【技術分野】
【０００１】
本発明は、移動通信機器のための位置情報システム及びその動作方法に係り、さらに詳細には、移動通信機器の消費電力を低減できる移動通信機器のための位置情報システム及びその動作方法に関する。
【背景技術】
【０００２】
一般的に携帯電話、ＰＤＡ（パーソナルデジタルアシスタント）などのような移動通信機器は、音声通話などの通信効率増大のために移動通信機器の位置を把握せねばならない。
【０００３】
このような移動通信機器の位置判断は、移動通信機器が周期的に自身の属するセルを管理する基地局などに自身の位置を知らせるためのデータを送信すれば、基地局は、受信されたデータによる位置情報を移動通信機器に送信する。
【０００４】
図１は、従来の技術による移動通信機器のための位置情報システムを示す図面である。
【０００５】
図示するように、従来の技術による移動通信機器のための位置情報システムは、移動通信機器の位置情報のためのデータを送信し、送信されたデータによる位置情報を受信する位置情報受信装置１０と、位置情報受信装置１０から送信されたデータによる位置情報を判断し、判断された位置情報を位置情報受信装置１０に送信する位置情報送信装置２０とを備える。この時、位置情報受信装置１０は、移動通信機器を意味し、位置情報送信装置２０は、基地局を意味する。
【０００６】
位置情報受信装置１０は、データ通信のための通信モジュール１１、移動通信機器の位置情報のためのデータを生成して、通信モジュール１１を通じて位置情報送信装置２０に送信し、送信されたデータによる位置情報を、通信モジュール１１を通じて受信する位置情報モジュール１２、通信モジュール１１に供給される電源を所定時間間隔で断続する電源制御モジュール１３を備える。
【０００７】
この時、電源制御モジュール１３は、位置情報受信装置１０から持続的に位置情報のためのデータを送信する場合、消費電力が大きいために、消費電力を低減させるために所定時間間隔で位置情報のためのデータを送信できるように、通信モジュール１１に供給される電源を所定時間間隔で断続する。
【０００８】
位置情報送信装置２０は、位置情報受信装置１０から送信された位置情報のためのデータを受信するデータ受信モジュール２１、受信されたデータによって移動通信機器の位置情報を判断する位置情報判断モジュール２２、判断された位置情報が保存される保存モジュール２３、及び判断された位置情報を位置情報受信装置１０に送信するデータ送信モジュール２４を備える。
【０００９】
図２は、従来の技術による移動通信機器のための位置情報システムの動作方法を示す図面である。
【００１０】
図示するように、まず位置情報受信装置１０は、位置情報モジュール１２で生成された位置情報のためのデータを通信モジュール１１を通じて位置情報送信装置２０に送信する（Ｓ１０）。
【００１１】
位置情報送信装置２０の位置判断モジュール２２は、データ受信モジュール２１を通じて受信されたデータによる位置情報を判断し、判断された位置情報を、データ送信モジュール２４を通じて位置情報受信装置１０に送信する（Ｓ２０）。
【００１２】
以後、位置情報受信装置１の電源制御モジュール１３は、通信モジュール１１に供給される電源をオフさせる（Ｓ３０）。
【００１３】
この時、電源制御モジュール１３は、所定時間経過後に通信モジュール１１に供給される電源をオンさせ（Ｓ４０）、位置情報受信装置１０及び位置情報送信装置２０は、前述したＳ１０及びＳ２０ステップと同じく、位置情報のためのデータの送信（Ｓ５０）及び送信されたデータによる位置情報の送信（Ｓ６０）を行い、その以後にも、前述したＳ３０ないしＳ６０ステップの動作を反復的に行う。
【００１４】
このような移動通信機器のための位置情報システムの動作で通信モジュール１１に電源を供給する時間間隔は、移動通信機器の移動速度と関係なく事前指定された時間間隔によって電源を供給する。
【００１５】
図３は、従来の技術による移動通信機器の移動速度によって位置情報受信装置１０で位置情報のためのデータを送信する送信時間間隔を示す図面である。
【００１６】
図示するように、移動通信機器の移動速度が経時的に第１移動速度、第２移動速度及び第３移動速度に変化した場合にも、通信モジュール１１に供給される電源をオフさせてからオンさせる時間が一定に維持される。この時、通信モジュール１１の電源がオンとなった場合、位置情報のためのデータを送信する。
【００１７】
言い換えれば、通信モジュール１１に供給される電源がオフとなる時間及び通信モジュール１１に供給される電源のオン／オフ時間を、第１移動速度ではＴ１といい、第２移動速度ではＴ２といい、第３移動速度ではＴ３という場合、Ｔ１＝Ｔ２＝Ｔ３の関係を持つ。
【００１８】
しかし、位置情報受信装置１０で移動通信機器の移動速度に関係なく一定の時間間隔で位置情報のためのデータを位置情報送信装置２０に送信することは、移動通信機器の消費電力を増加させてしまう。
【００１９】
例えば、移動通信機器の移動速度が遅い場合には単位時間当り位置の変化量が少なく、移動通信機器の移動速度が速い場合には単位時間が位置変化量が多くなる。したがって、移動通信機器の移動速度が遅い場合、移動通信機器の位置情報に対するアップデートをゆっくりしても、位置情報の差が小さいにも拘らず移動通信機器の移動速度が速い場合と同じ時間間隔で通信モジュール１１に供給される電源をオン／オフさせるために、移動通信機器の消費電力が増加して移動通信機器の使用時間を短縮させる問題点がある。
【００２０】
一方、移動通信機器が所定セルに位置する場合、移動通信機器は、該当セルの基地局に位置情報を要請する。この時、該当セルに位置する移動通信機器の数が多い場合、同時に複数の移動通信機器が位置情報を要請し、それによって基地局では十分なＱｏＳ（サービス品質）を保証できなくなって、良質のサービスを提供し難いという問題点がある。
【００２１】
特許文献１は、端末機の消費電力減少方法において、基地局で端末機の移動速度を測定するステップ、前記測定された速度に該当する位置登録周期を移動局に伝送するステップ、前記移動局は、伝送された周期によって位置登録メッセージを送信する方法を開示しているが、これは、移動局から伝送される周期によって位置登録メッセージを送信するものであって、消費電力を低減させるための具体的な実施形態が開示されていないだけでなく、複数の移動局が位置登録メッセージを送信する場合、基地局で十分なＱｏＳを保証できる方案が開示されていない。
【特許文献１】日本特許公開第１９９９−２９８９４５号公報
【発明の開示】
【発明が解決しようとする課題】
【００２２】
本発明は、移動通信機器の消費電力を低減させて、十分なＱｏＳを保証して良質のサービスを提供できる移動通信機器のための位置情報システム及びその動作方法を提供するところにその目的がある。
【００２３】
本発明の目的は、以上で言及した目的に制限されず、言及されていない他の目的は下の記載から当業者に明確に理解されうる。
【課題を解決するための手段】
【００２４】
前記目的を達成するために、本発明の実施形態による移動通信機器のための位置情報受信装置は、データ通信のための通信モジュールと、位置情報のためのデータを、前記通信モジュールを通じて前記位置情報を提供する装置に送信し、前記送信されたデータによる位置情報を前記通信モジュールを通じて受信する位置情報モジュールと、前記受信された位置情報によって前記通信モジュールに供給される電源を制御する電源制御モジュールと、を備える。
【００２５】
また、前記目的を達成するために、本発明の実施形態による移動通信機器のための位置情報送信装置は、移動通信機器から位置情報のためのデータを受信するデータ受信モジュールと、前記受信されたデータによって前記移動通信機器の移動速度を算出し、前記算出された移動速度によって前記位置情報のためのデータを送信する送信時間間隔情報を生成する移動速度算出モジュールと、前記生成された送信時間間隔情報及び前記移動通信機器の位置情報を前記移動通信機器に送信するデータ送信モジュールと、  前記位置情報を要請する移動通信機器による負荷を判断し、前記判断された負荷によって前記生成された送信時間間隔情報を調節する負荷調節モジュールと、を備える。
【００２６】
また、前記目的を達成するために、本発明の実施形態による移動通信機器のための位置情報受信方法は、位置情報のためのデータを位置情報を提供する装置に送信するステップと、前記送信されたデータによる位置情報を受信するステップと、前記受信された位置情報によって前記位置情報のためのデータの送信時間間隔を制御するステップと、を含む。
【００２７】
また、前記目的を達成するために、本発明の実施形態による移動通信機器のための位置情報送信方法は、移動通信機器から位置情報のためのデータを受信するステップと、
前記受信されたデータによって前記移動通信機器の移動速度を算出し、前記算出された移動速度によって前記位置情報のためのデータを送信する送信時間間隔情報を生成するステップと、前記生成された送信時間間隔情報及び前記移動通信機器の位置情報を前記移動通信機器に送信するステップと、前記位置情報を要請する移動通信機器による負荷を判断し、前記判断された負荷によって前記生成された送信時間間隔情報を調節するステップと、を含む。
【００２８】
その他の実施例の具体的な事項は詳細な説明及び図面に含まれている。
【発明の効果】
【００２９】
本発明の移動通信機器のための位置情報システム及びその動作方法によれば、次のような効果が一つあるいはそれ以上ある。
【００３０】
第１に、移動通信機器の移動速度によって位置情報のためのデータの送信時間間隔を調節して消費電力を低減させることができる。
【００３１】
第２に、位置情報を要請する移動通信機器の数及び送信時間間隔情報を通じて負荷を調節して、十分なＱｏＳを保証できる。
【発明を実施するための最良の形態】
【００３２】
本発明の利点及び特徴、そしてこれを達成する方法は添付された図面に基づいて詳細に後述されている実施例を参照すれば明確になる。しかし、本発明は以下で開示される実施例に限定されるものではなく、この実施例から外れて多様な形に具現でき、本明細書で説明する実施例は本発明の開示を完全にし、本発明が属する技術分野で当業者に発明の範ちゅうを完全に報せるために提供されるものであり、本発明は請求項及び発明の詳細な説明により定義されるだけである。一方、明細書全体に亙って同一な参照符号は同一な構成要素を示す。
【００３３】
以下、本発明の一実施形態による移動通信機器のための位置情報システム及びその動作方法を説明するためのブロック図、または処理フローチャートに関する図面を参考して本発明について説明する。この時、  処理フローチャートの図面の各ブロックとフローチャートの組合わせはコンピュータプログラムインストラクションにより実行可能なのが理解できるであろう。これらコンピュータプログラムインストラクションは、汎用コンピュータ、特殊用コンピュータまたはその他のプログラマブルデータプロセッシング装備のプロセッサーに搭載されうるので、コンピュータまたはその他のプログラマブルデータプロセッシング装備のプロセッサーを通じて実行されるそのインストラクションがフローチャートのブロックで説明された機能を行う手段を生成するように機構を作れる。これらコンピュータプログラムインストラクションは特定方式で機能を具現するためにコンピュータまたはその他のプログラマブルデータプロセッシング装備を指向できるコンピュータ利用可能またはコンピュータ判読可能メモリに保存されることも可能なので、そのコンピュータ利用可能またはコンピュータ判読可能メモリに保存されたインストラクションはフローチャートのブロックで説明された機能を行うインストラクション手段を内包する製造品目を生産することも可能である。コンピュータプログラムインストラクションはコンピュータまたはその他のプログラム可能なデータプロセッシング装備上に搭載することも可能なので、コンピュータまたはその他のプログラマブルデータプロセッシング装備上で一連の動作段階が実行されてコンピュータで実行されるプロセスを生成し、コンピュータまたはその他のプログラマブルデータプロセッシング装備を行うインストラクションはフローチャートのブロックで説明された機能を実行するための段階を提供することも可能である。
【００３４】
また、各ブロックは特定の論理的機能を行うための一つ以上の実行可能なインストラクションを含むモジュール、セグメントまたはコードの一部を示すことができる。また、いくつの代替実行例では、ブロックで言及された機能が順序を外れて発生することも可能であるということに注目せねばならない。例えば、連続して図示されている２つのブロックは、実質的に同時に行われてもよく、またはそのブロックが時々該当する機能によって逆順に行われてもよい。
【００３５】
図４は、本発明の第１実施形態による移動通信機器のための位置情報受信装置を示す図面である。
【００３６】
図示するように、本発明の第１実施形態による移動通信機器のための位置情報受信装置（以下、位置情報受信装置と称する）１００は、データ通信のための通信モジュール１１０、位置情報のためのデータを通信モジュール１１０を通じて位置情報を提供する装置に送信し、送信されたデータによる位置情報を、通信モジュール１１０を通じて受信する位置情報モジュール１２０、受信された位置情報によって通信モジュール１１０に供給される電源を制御する電源制御モジュール１３０を備えることができる。
【００３７】
この時、本発明の実施形態による位置情報受信装置１００は、携帯電話及びＰＤＡなどの移動通信機器であるか、移動通信機器内に内蔵される装置であるか、移動通信機器から脱着可能な装置でありうる。
【００３８】
通信モジュール１１０は、位置情報受信装置１００が無線通信を通じて所定のデータを送受信可能にし、位置情報受信装置１００は、通信モジュール１１０を通じて位置情報のためのデータを位置情報を提供する装置に送信し、送信されたデータによる位置情報を受信できる。
【００３９】
位置情報モジュール１２０は、通信モジュール１１０を通じて位置情報を提供する装置に送信する位置情報のためのデータを生成でき、生成されたデータは、通信モジュール１１０を通じて位置情報を提供する装置に送信できる。また、送信されたデータによって位置情報を提供する装置から送信された位置情報を、通信モジュール１１０を通じて受信できる。この時、受信された位置情報は、移動通信機器の位置座標、例えば、絶対座標であるＸ座標及びＹ座標や緯度及び経度などと位置情報のためのデータを送信する送信時間間隔情報を含むことができる。
【００４０】
この時、本発明の実施形態では、受信された位置情報が位置座標及び送信時間間隔情報などを含む場合を例として説明しているが、これは、本発明の理解を助けるための一例に過ぎず、これに限定されずに多様な付加サービスを含むことができる。
【００４１】
ここで、送信時間間隔情報は、位置情報受信装置１００の移動速度によって決定されるが、これは、移動通信機器の移動速度が速い場合に単位時間当り位置の変化量が大きい一方、移動通信機器の移動速度が遅い場合に単位時間当り位置の変化量が小さいために、移動通信機器で消費電力を低減させるために位置情報のためのデータを送信する時間間隔を調節する。この時、電源制御モジュール１３０は、受信された位置情報に含まれた送信時間間隔によって通信モジュール１１０に供給される電源を断続して、位置情報のためのデータが送信される時間間隔を調節できる。したがって、位置情報受信装置１００の移動速度が遅い場合、通信モジュール１１０に電源が供給される時間間隔を広げて消費電力を低減させる。
【００４２】
図５は、本発明の第２実施形態による位置情報受信装置を示す図面である。図示するように、本発明の第２実施形態による位置情報受信装置１００は、前述した図４の位置情報受信装置１００で受信された位置情報によって、自体的に位置情報のためのデータの送信時間間隔を決定できる移動速度算出モジュール１４０をさらに備えることができる。
【００４３】
このような移動速度算出モジュール１４０は、位置情報のためのデータを送信した時間間隔と、受信された位置情報によって位置情報受信装置１００が移動した距離とによって位置情報受信装置１００の移動速度を算出し、算出された移動速度によって位置情報のためのデータを送信する送信時間間隔情報を生成して、生成された送信時間間隔情報を電源制御モジュール１３０に伝達できる。
【００４４】
この時、電源制御モジュール１３０は、位置情報を提供する装置で受信された送信時間間隔情報と同じく、移動速度算出モジュール１４０から伝えられた送信時間間隔情報によって通信モジュール１１０に供給される電源を断続する。
【００４５】
図６は、本発明の実施形態による移動通信機器のための位置情報送信装置を示す図面である。
【００４６】
図示するように、本発明の実施形態による位置情報送信装置（以下、位置情報送信装置と称する）２００は、位置情報受信装置１００から送信された位置情報のためのデータを受信するデータ受信モジュール２１０、受信されたデータによって位置情報受信装置１００の位置情報を判断する位置判断モジュール２２０、判断された位置情報を保存する保存モジュール２３０、受信されたデータによって位置情報受信装置１００の移動速度を算出し、算出された移動速度によって送信時間間隔情報を生成する移動速度算出モジュール２４０、生成された送信時間間隔情報及び受信されたデータによる位置情報を位置情報受信装置１００に送信するデータ送信モジュール２５０及び位置情報を要請する位置情報受信装置による負荷を判断し、判断された負荷によって前記送信される送信時間間隔情報を調節する負荷調節モジュール２６０を備えることができる。
【００４７】
この時、本発明の実施形態による位置情報送信装置２００は、前述した位置情報受信装置１００が位置したセルの基地局として理解され、複数のセルが存在する場合、各セルを管理する複数の基地局が存在できる。
【００４８】
移動速度算出モジュール２４０は、位置情報受信装置１００から送信された位置情報のためのデータの受信間隔、及び受信されたデータによって位置情報判断モジュール２２０で判断された位置情報による位置情報受信装置１００の移動距離によって、位置情報受信装置１００の移動速度を算出できる。また、移動速度算出モジュール２４０は、算出された移動速度によって位置情報受信装置１００が送信する位置情報のためのデータの送信時間間隔情報を生成できる。このような送信時間間隔情報は、位置情報受信装置１００の移動速度が速い場合に単位時間当り位置変化量が大きい一方、位置情報受信装置１００の移動速度が遅い場合には単位時間当り位置変化量が小さいために、位置情報受信装置１００の移動速度によって位置情報のためのデータを送信する時間間隔を調節する。
【００４９】
結局、移動速度算出モジュール２４０で生成された送信時間間隔情報は、位置情報受信装置１００の移動速度によって位置情報受信装置１００で送信される位置情報のためのデータの送信時間間隔を調節して、位置情報受信装置１００で消費電力を低減させることができる。
【００５０】
負荷調節モジュール２６０は、複数の位置情報受信装置が位置情報を要請する場合、負荷が増加して十分なＱｏＳを保証できないために、位置情報を要請する位置情報受信装置の数及び各位置情報受信装置の送信時間間隔情報によって生成された送信時間間隔情報を調節できる。この時、負荷Ｗは、位置情報受信装置の数の総和及び各位置情報受信装置と該当する送信時間間隔情報の積の総和によって求められ、このような負荷Ｗは、（式１）を通じて求められる。
【００５１】
Ｗ＝（Ｎ１＋Ｎ２＋…＋Ｎｎ）／（Ｓ１＊Ｎ１＋Ｓ２＊Ｎ２＋…＋Ｓｎ＊Ｎｎ）      （式１）
この時、Ｎ１＋Ｎ２＋…＋Ｎｎは、前記位置情報を要請する位置情報受信装置数の総和、Ｓ１＊Ｎ１＋Ｓ２＊Ｎ２＋…＋Ｓｎ＊Ｎｎは、各位置情報受信装置と該当する送信時間間隔情報の積との総和である。
【００５２】
（式１）で、各位置情報受信装置の送信時間間隔情報が使われたのは、位置情報を要請した位置情報受信装置の数が少ない場合にも、各位置情報受信装置の送信時間間隔が狭いならば、負荷が増加する恐れがあるためである。
【００５３】
一方、負荷調節モジュール２６０は、（式１）を通じて求められた負荷が基準負荷を超過する場合、データ送信モジュール２５０を通じて送信される送信時間間隔を再び計算して調節できる。例えば、（式１）により求められた負荷が基準負荷を超過する場合、移動速度算出モジュール２４０で生成された送信時間間隔を広げることができる。
【００５４】
図７は、本発明の第１実施形態による位置情報受信装置の動作方法を示す図面である。この時、図７の動作方法は、前述した図４の位置情報受信装置の動作方法の場合を例として説明する。
【００５５】
図示するように、本発明の第１実施形態による位置情報受信装置の動作方法は、まず、所定セルに位置した移動通信機器の位置情報受信装置１００は、位置情報のためのデータを、所定時間間隔で該当セルを管理する位置情報送信装置２００に送信する（Ｓ１１０）。この時、位置情報を送信する送信時間間隔は、以前に位置したセルから送信した送信時間間隔でもよく、事前指定された送信時間間隔でもよく、デフォルトと設定された送信時間間隔でもよいが、これに限定されるものではない。
【００５６】
以後、位置情報受信装置１００は、送信した位置情報のためのデータによる位置情報を受信する（Ｓ１２０）。この時、受信された位置情報は、位置情報受信装置１００の移動速度によって位置情報受信装置１００で位置情報のためのデータを送信する送信時間間隔情報及び位置座標などを含むことができる。
【００５７】
位置情報受信装置１００は、受信された送信時間情報によって位置情報のためのデータを送信するための通信モジュール１１０への電源供給時間間隔を変更する（Ｓ１３０）。言い換えれば、位置情報のためのデータを送信するための通信モジュール１１０の電源を、位置情報受信装置１００の移動速度によって生成される送信時間間隔情報によって供給するために、消費電力を低減させることができる。
【００５８】
以後、送信時間間隔情報を受信し、受信された送信時間間隔情報によって通信モジュール１１０に供給される過程Ｓ１１０ないしＳ１３０を反復的に行える。
【００５９】
図８は、本発明の第２実施形態による位置情報受信装置の動作方法を示す図面である。この時、図８は、前述した図７とは違って、位置情報受信装置で移動通信機器の移動速度によって位置情報のためのデータを送信する送信時間間隔を調節し、前述した図５の位置情報受信装置の動作方法の場合を例として説明する。この時、本発明の実施形態で、第１基準速度は、第２基準速度に比べて速い場合を例として説明する。
【００６０】
図示するように、本発明の第２実施形態による位置情報受信装置の動作方法は、まず、所定セルに位置した移動通信機器の位置情報受信装置１００は、位置情報のためのデータを所定時間間隔で該当セルを管理する位置情報送信装置２００に送信する（Ｓ２１０）。以後、位置情報受信装置１００は、送信した位置情報のためのデータによる位置情報を受信する（２２０）。
【００６１】
以後、前述した図５の移動速度算出モジュール１４０は、受信された位置情報の受信時間間隔及び位置情報による位置情報受信装置１００の移動距離を通じて、位置情報受信装置１００の移動速度を算出する（Ｓ２３０）。
【００６２】
この時、移動速度算出モジュール１４０は、算出された移動速度が第１基準速度を超過する場合（Ｓ２４０）、送信時間間隔を狭める（Ｓ２５０）。
【００６３】
また、移動速度算出モジュール１４０は、算出された移動速度が第２基準速度未満である場合（Ｓ２６０）、送信時間間隔を広げる（Ｓ２７０）。
【００６４】
もし、算出された移動速度が第１基準速度と第２基準速度との間である場合には、送信時間間隔を維持する（Ｓ２８０）。
【００６５】
以後、電源制御モジュール１３０は、該当する送信時間間隔によって位置情報のためのデータを送信する（Ｓ２９０）。
【００６６】
また、受信された位置情報によって位置情報受信装置１００の移動速度を算出し、算出された移動速度によって送信時間間隔情報を生成し、生成された送信時間間隔情報によって位置情報のためのデータを送信する過程Ｓ２１０ないしＳ２９０を反復的に行う。
【００６７】
図９は、本発明の実施形態による位置情報送信装置の動作方法を示す図面である。
【００６８】
図示するように、本発明の実施形態による位置情報送信装置の動作方法は、まず、位置情報受信装置１００から位置情報のためのデータを、データ受信モジュール２１０を通じて受信する（Ｓ３１０）。この時、位置情報のためのデータは、所定時間間隔で受信される。
【００６９】
前述した図６の移動速度算出モジュール２４０は、位置情報のためのデータが受信された時間間隔及び位置情報のためのデータによって位置判断モジュール２２０で判断された位置情報を通じて位置情報受信装置１００が移動した距離を通じて、位置情報受信装置１００の移動速度を算出する（Ｓ３２０）。
【００７０】
また、移動速度算出モジュール２４０は、算出された位置情報受信装置１００の移動速度によって位置情報受信装置１００が位置情報のためのデータを送信する送信時間間隔情報を生成する（Ｓ３３０）。この時、本発明の実施形態で、第１基準速度が第２基準速度より速い場合を例として説明すれば、生成される送信時間間隔情報は、位置情報受信装置１００の移動速度が第１基準速度を超過すれば送信時間間隔を狭め、第２基準速度未満であれば送信時間間隔を広げ、第１基準速度と第２基準速度との間であれば送信時間間隔を維持する。
【００７１】
一方、負荷調節モジュール２６０は、前述した（式１）を通じて位置情報送信装置１００の負荷を判断する（Ｓ３４０）。
【００７２】
この時、判断された負荷が基準負荷を超過する場合（Ｓ３５０）、生成された送信時間間隔情報を調節してデータ送信モジュール２５０を通じて送信する（Ｓ３６０）。もし、判断された負荷が基準負荷以下である場合には、生成された送信時間間隔情報をデータ送信モジュール２５０を通じて送信する（Ｓ３７０）。これは、負荷が基準負荷を超過する場合、十分なＱｏＳを保証できないためである。
【００７３】
図１０は、本発明の実施形態によって位置情報受信装置と位置情報送信装置との間で送受信されるデータのフローを示す図面である。
【００７４】
図示するように、本発明の実施形態による位置情報受信装置と位置情報送信装置との間で送受信されるデータのフローは、まず、位置情報受信装置１００が位置情報のためのデータを位置情報送信装置２００に送信すれば（Ｓ４１０）、位置情報送信装置２００は、送信されたデータによって位置情報受信装置１００の移動速度を算出し、算出された移動速度によるデータ送信時間間隔情報を生成する（Ｓ４２０）。
【００７５】
位置情報送信装置２００は、位置情報及び送信時間間隔情報を位置情報受信装置１００に送信する（Ｓ４３０）。位置情報受信装置１００は、位置情報送信装置２００から送信された送信時間間隔情報によって通信モジュール１１０に供給される電源をオフさせた後、再び通信モジュール１１０に電源をオンさせる（Ｓ４４０）。
【００７６】
以後、通信モジュール１１０の電源がオンとなれば、前述したＳ４１０ステップないしＳ４４０ステップを反復的に行う。
【００７７】
図１１は、本発明の実施形態によって算出された位置情報受信装置１００の移動速度によって変更される位置情報のためのデータの送信時間間隔を示す図面である。この時、図１１は、位置情報受信装置１００が既存に第１移動速度を通じて移動している場合を例として説明し、第１移動速度である場合、位置情報のためのデータの送信時間間隔はＴ１である場合を例として説明する。この時、送信時間間隔Ｔ１は、位置情報のためのデータ送信後、通信モジュール１１０の電源をオフさせた後、オンさせて位置情報のためのデータを送信した後、通信モジュール１００の電源を再びオフさせるまでの時間である場合を例として説明する。
【００７８】
図示するように、既存に第１移動速度で移動した移動通信機器の移動速度が第２移動速度に増加した場合、第２移動速度は第１基準速度を超過するために、位置情報受信装置１００から位置情報送信装置２００に送信される位置情報のためのデータの送信間隔は、Ｔ２に減少する。
【００７９】
以後、第２移動速度で移動した移動通信機器が第３移動速度に減少した場合、第３移動速度は第２基準速度未満であるために、位置情報受信装置１００から位置情報送信装置２００に送信される位置情報のためのデータの送信時間間隔はＴ３に増加する。
【００８０】
したがって、位置情報受信装置１００の移動速度によって位置情報受信装置１００から位置情報送信装置２００に送信される位置情報のためのデータの送信時間間隔が調節されるために、移動通信機器で消費電力を低減させることができる。また、位置情報を要請する位置情報受信装置１００が所定の位置情報送信装置に集中した場合に負荷が増加する場合、送信時間間隔情報を再び調節して負荷を減少させて十分なＱｏＳを保証できる。
【００８１】
前記‘モジュール’は、ソフトウェアまたはＦＰＧＡ（Ｆｉｅｌｄ  Ｐｒｏｇｒａｍｍａｂｌｅ  Ｇａｔｅ  Ａｒｒａｙ）または注文型半導体（Ａｐｐｌｉｃａｔｉｏｎ  Ｓｐｅｃｉｆｉｃ  Ｉｎｔｅｇｒａｔｅｄ  Ｃｉｒｃｕｉｔ；ＡＳＩＣ）のようなハードウェア構成要素を意味し、モジュールは所定の役割を行う。しかし、モジュールはソフトウェアまたはハードウェアに限定されるものではない。モジュールは、アドレッシング可能な保存媒体に存在すべく構成されても良く、１つまたはそれ以上のプロセッサーを実行させるように構成されても良い。したがって、一例としてモジュールは、ソフトウェア構成要素、客体指向ソフトウェア構成要素、クラス構成要素及びタスク構成要素のような構成要素と、プロセス、関数、属性、プロシージャ、サブルーチン、プログラムコードのセグメント、ドライバー、ファームウェア、マイクロコード、回路、データ、データベース、データ構造、テーブル、アレイ、及び変数を含む。構成要素とモジュールから提供される機能は、より少数の構成要素及びモジュールで結合されるか、追加的な構成要素とモジュールにさらに分離されうる。
【００８２】
以上、本発明による移動通信機器のための位置情報システム及びその動作方法を例示された図面を参照として説明したが、本発明は本明細書に開示された実施例及び図面によって限定されるものではなく、その発明の技術思想範囲内で当業者により多様に変形可能であることはいうまでもない。
【産業上の利用可能性】
【００８３】
本発明は、携帯電話、ＰＤＡなどのような移動通信機器の関連技術分野に好適に用いられる。
【図面の簡単な説明】
【００８４】
【図１】従来の技術による移動通信機器のための位置情報システムを示す図である。
【図２】従来の技術による移動通信機器のための位置情報システムの動作方法を示す図である。
【図３】従来の技術による移動通信機器の移動速度による位置情報のためのデータの送信時間間隔を示す図である。
【図４】本発明の第１実施形態による移動通信機器のための位置情報受信装置を示す図である。
【図５】本発明の第２実施形態による移動通信機器のための位置情報受信装置を示す図である。
【図６】本発明の実施形態による移動通信機器のための位置情報送信装置を示す図である。
【図７】本発明の第１実施形態による移動通信機器のための位置情報受信方法を示す図である。
【図８】本発明の第２実施形態による移動通信機器のための位置情報受信方法を示す図である。
【図９】本発明の実施形態による移動通信機器のための位置情報送信方法を示す図である。
【図１０】本発明の実施形態による位置情報受信装置及び位置情報送信装置のデータフローを示す図である。
【図１１】本発明の実施形態による位置情報受信装置の移動速度による位置情報のためのデータの送信時間間隔を示す図である。
【符号の説明】
【００８５】
２００      位置情報送信装置
２１０      データ受信モジュール
２２０      位置判断モジュール
２３０      保存モジュール
２４０      移動速度算出モジュール
２５０      データ送信モジュール
２６０      負荷調節モジュール
【図１】
0004394105.tif 000002
【図２】
0004394105.tif 000003
【図３】
0004394105.tif 000004
【図４】
0004394105.tif 000005
【図５】
0004394105.tif 000006
【図６】
0004394105.tif 000007
【図７】
0004394105.tif 000008
【図８】
0004394105.tif 000009
【図９】
0004394105.tif 000010
【図１０】
0004394105.tif 000011
【図１１】
0004394105.tif 000012